(57)【要約】【課題】縦仕切と横仕切の高さが同じで、組み立ておよび容器への装着が容易で作業効率の良い丈夫な中仕切を提供する。【解決手段】本発明の容器の中仕切は、複数箇所に折り目や切れ目を設けた一枚の矩形の平板材を該折り目に沿って折り上げて容器に装着することにより、容器内に長手方向に縦仕切とこれと直角方向に４個の横仕切とからなる６個の物品収容区画を形成させるものである。この中仕切１０Ａは、平板材の長手方向の中央に縦の折り目Ａを設け、所定の間隔で両側に並行に折り目Ｂ、Ｃを設けて縦仕切片１ａ、１ｂと接続片２ｃと底片３ａとに区画し、接続片２ｃの前後に水平方向の折り目Ｄと折り目Ｂの延長線上に設けた切れ目Ｇによって横仕切片２ａを区画し、横仕切片２ａに４５度の斜めの折り目Ｅを有する支持片４ａを連接した。【選択図】図１
2015214339.tif 000002
【特許請求の範囲】
【請求項１】
複数箇所に折り目や切れ目を設けた一枚の矩形の段ボールなどの平板材を該折り目に沿って折り上げて容器に装着することにより、容器内に長手方向に縦仕切とこれと直角方向に４個の横仕切とからなる６個の物品収容区画を形成させる中仕切であって、該平板材の長手方向の中央に縦の折り目Ａを設け、その両側に折り目Ａと並行に所定の間隔で折り目Ｂ、Ｃを設けて縦仕切片と接続片と底片とに区画し、該接続片の前部と後部に水平方向の折り目Ｄを設けるとともに折り目Ｂの延長線上に切れ目Ｇを設けて横仕切片を区画し、折り目Ｃと折り目Ｄの交点から底片へ４５度の斜めの折り目Ｅとその頂点から切れ目Ｈを設けて横仕切片に連接された支持片を形成したことを特徴とする容器の中仕切。
【請求項２】
複数箇所に折り目や切れ目を設けた一枚の矩形の段ボールなどの平板材を該折り目に沿って折り上げて容器に装着することにより、容器内に長手方向に縦仕切とこれと直角方向に４個の横仕切とからなる６個の物品収容区画を形成させる中仕切であって、該平板材の長手方向の中央に縦の折り目Ｋを設け、その両側に折り目Ｋと並行に所定の間隔で折り目Ｌ、Ｍを設けて縦仕切片と底片と側板片とに区画し、該底片の前部と後部に水平方向の折り目Ｎを設けて横仕切片を区画し、該横仕切片を立設するため横仕切片の左右両側に４５度の斜めの折り目Ｐを有する支持片を形成したことを特徴とする容器の中仕切。
【発明の詳細な説明】
【技術分野】
【０００１】
本発明は、物品を収納する容器に挿着される中仕切に係り、特に一枚の平板材を折り目に沿って折るだけで形成される中仕切に関するものである。
【背景技術】
【０００２】
容器に物品を複数個収納する場合、物品同士の接触による損傷、破損を防ぐため、中仕切が使用されている。この中仕切は、仕切壁高さの長尺状のシートに溝を形成した縦仕切片と横仕切片を井桁に組み合わせるものが一般的である。
しかし、この中仕切は、井桁状に組み立てるのに工数がかかる上に、縦仕切片と横仕切片は、溝部のみで支持されているので、物品の当接などで動き易いという難点がある。    そこで、折り目および切れ目を形成した一枚の平板材を折るだけで形成される（例えば、特許文献１、２参照）ものが開発されている。
【０００３】
特許文献１の中仕切材は、一升瓶などの飲料瓶を複数個収納するに適しており、本願出願人の開発によるものである。
この中仕切材は、矩形段ボールの長手方向の中央に２つ折用折り目Ａを設けるとともに、両縁端から所定距離に底形成用折り目Ｂ、Ｃを設け、２つ折にして主仕切壁１Ａ、１Ｂを夫々形成させ、この所定箇所に矩形状をした複数の副仕切壁を切起形成させたものである。
【０００４】
また、特許文献２の中仕切は、左右方向中央に二重に折り曲げた仕切板を、左右両端から中央に向けて押し込むだけで仕切板から前後に突出させた前後の仕切板形成されるようにしたもので、底板も連設している。
【先行技術文献】
【特許文献】
【０００５】
【特許文献１】特公平６−８４１７７号公報
【特許文献２】特開平９−３２８１２０号公報
【発明の開示】
【発明が解決しようとする課題】
【０００６】
特許文献１の中仕切は、二つ折りにして容器に装着するだけで、底板と副仕切壁が自動的に形成される。しかしながら、この中仕切は、前後に形成される副仕切壁を中央の二重の主仕切壁から切り起こしているので、副仕切壁の高さが低くなり、主仕切壁の高さが低い場合、すなわち、高さの低い物品の場合は、主仕切壁の切り起こし部を塞ぐことができず、物品同士の当接を防ぐことができないという欠点がある。
また、特許文献２の中仕切は、左右方向の仕切壁と前後方向の仕切壁の両方が二重壁を形成するので、しっかりした中仕切を形成することができるが、容器に装着するときに、左右方向の仕切壁の下端部内面同士を接着する作業があり、面倒である。
【０００７】
本発明は上記の点に鑑み、縦仕切と横仕切の高さが同じで、組み立ておよび容器への装着が容易で作業効率の良い丈夫な中仕切を提供することを目的としている。
【課題を解決するための手段】
【０００８】
上記の目的を達成するため、請求項１の発明の容器の中仕切は、次のように構成した。すなわち、複数箇所に折り目や切れ目を設けた一枚の矩形の段ボールなどの平板材を該折り目に沿って折り上げて容器に装着することにより、容器内に長手方向に縦仕切と、これと直角方向に４個の横仕切とからなる６個の物品収容区画を形成させる中仕切であって、該平板材の長手方向の中央に縦の折り目Ａを設け、その両側に折り目Ａと並行に所定の間隔で折り目Ｂ、Ｃを設けて縦仕切片と接続片と底片とに区画し、該接続片の前部と後部に水平方向の折り目Ｄを設けるとともに折り目Ｂの延長線上に切れ目Ｇを設けて横仕切片を区画し、折り目Ｃと折り目Ｄの交点から底片へ４５度の斜めの折り目Ｅとその頂点から切れ目Ｈを設けて横仕切片に連接された支持片を形成したことを特徴としている。
【０００９】
また、請求項２の発明の容器の中仕切は、次のように構成した。すなわち、複数箇所に折り目や切れ目を設けた一枚の矩形の段ボールなどの平板材を該折り目に沿って折り上げて容器に装着することにより、容器内に長手方向に縦仕切と、これと直角方向に４個の横仕切とからなる６個の物品収容区画を形成させる中仕切であって、該平板材の長手方向の中央に縦の折り目Ｋを設け、その両側に折り目Ｋと並行に所定の間隔で折り目Ｌ、Ｍを設けて縦仕切片と底片と側板片とに区画し、該底片の前部と後部に水平方向の折り目Ｎを設けて横仕切片を区画し、該横仕切片を立設するため横仕切片の左右両側に４５度の斜めの折り目Ｐを有する支持片を形成したことを特徴としている。
【００１０】
この中仕切は、一枚の平板材を折り目に沿って折り上げて６個の物品収容区画を形成するもので、材質は、段ボールのほか、厚紙や合成樹脂でもよい。なお、容器の材質は、上記のほか、木製やアルミ製でもよい。
この中仕切は、保存や輸送時は折り目Ａまたは折り目Ｋから折りたたんで二つ折りにしておき、容器へ装着するときに、拡げて縦仕切を立設させるようにするとよい。
【発明の効果】
【００１１】
請求項１の発明の容器の中仕切は、平板材の長手方向の中央に縦の折り目Ａを設け、所定の間隔で両側に並行に折り目Ｂ、Ｃを設けて縦仕切片と接続片と底片とに区画し、該接続片の前後に水平方向の折り目Ｄと折り目Ｂの延長線上に切れ目Ｇを設けて横仕切片を区画し、折り目Ｃと折り目Ｄの交点から４５度の斜めの折り目Ｅと切れ目Ｈを設けて支持片を形成したので、中央の折り目Ａへ両側から押し縮めるだけのワンタッチ動作で６個の収容区画が形成された中仕切が組みあがり、容器への装着も簡便である。
【００１２】
また、請求項２の発明の容器の中仕切は、平板材の長手方向の中央に縦の折り目Ｋを設け、所定の間隔で両側に並行に折り目Ｌ、Ｍを設けて縦仕切片と底片と側板片とに区画し、該底片の前後に水平方向の折り目Ｎを設けて横仕切片を区画し、該横仕切片を立設するため横仕切片の左右両側に４５度の斜めの折り目Ｐを有する支持片を形成したので、上記と同様の効果が得られる。
【図面の簡単な説明】
【００１３】
【図１】請求項１の発明の容器の中仕切の実施の形態を示すもので、中仕切を容器に装着した全体を示す斜視図である。
【図２】同上、中仕切１０Ａの展開図で、段ボール１００である。
【図３】同上、中仕切１０Ａの組立途中の斜視図である。
【図４】同上、中仕切１０Ａを二つ折りにした状態を示す斜視図である。
【図５】請求項２の発明の容器の中仕切の実施の形態を示すもので、中仕切を容器に装着した全体を示す斜視図である。
【図６】同上、中仕切２０Ａの展開図で、段ボール２００である。
【図７】同上、中仕切２０Ａの組立途中の斜視図である。
【発明を実施するための最良の形態】
【００１４】
請求項１の発明の容器の中仕切の実施の形態を、図面を参照しながら説明する。
図１は、本実施の形態の中仕切を容器３０（段ボール箱）に装着した状態の全体を示す斜視図で、図２は、この中仕切の展開図である段ボール１００である。また、図３は、中仕切１０Ａを組立てる途中の状態を示す斜視図で、図４は、中仕切１０Ａを二つ折りにした斜視図である。
【００１５】
容器３０は、底板の四辺に側板と端板を立設した直方体の段ボール製の箱で、大きさは、ここでは、２５ｃｍ×３７ｃｍ、高さ８ｃｍとしている。
【００１６】
中仕切１０Ａは、一枚の段ボール１００を折り上げて作られており、図１に示すように、容器３０の左右方向のほぼ中央に二重壁からなる縦仕切１と、縦仕切１に対して直角方向に横仕切２が４個立設され、底面３を備えている。
そして、縦仕切１は横仕切２の先端が容器３０の内側壁に当接することにより立設し、横仕切２は、これに連接された支持材４が折り畳まれることによって立設している。
【００１７】
段ボール１００は、図２に示すように、ほぼ矩形状であり、中央に縦方向の折り目Ａが設けられ、また、これと左右へ対称に折り目Ｂ、折り目Ｃが並行に設けられ、縦仕切片１ａ、１ｂと接続片２ｃと底片３ａ、３ｂに分割されている。
そして、折り目Ｂの上下延長線上に切れ目Ｇが形成され、切れ目Ｇの端部から水平方向に折り目Ｃにかけて折り目Ｄが設けられ、横仕切片２ａ、２ｂが形成されている。
この横仕切片２ａ、２ｂは、折り目Ｃの上下延長線上の折り目Ｆと、底片３ａ、３ｂに設けた４５度の折り目Ｅと、切れ目Ｈとによって形成された支持片４ａ、４ｂに連接されている。
ここで、折り目Ａ、Ｃ、Ｄ、Ｅは、谷折り（手前側へ折る）で、折り目Ｂ、Ｆは山折り（外側へ折る）である。
【００１８】
次に、上記のように構成された段ボール１００（図２）を折り上げて中仕切１０Ａとし、容器３０へ装着し、図１の状態にする手順について説明する。
まず、段ボール１００の折り目Ａ、Ｃ、Ｄ、Ｅを谷折りするとともに折り目Ｂ、Ｆを山折りして折り癖をつける。
【００１９】
次に、底片３ａと底片３ｂを持って両側から中央に寄せるように押し縮めれば、図３に示すように、各折り目Ａ、Ｂ、Ｃ、Ｄ、Ｅ、Ｆが折り込まれ、縦仕切片１ａと縦仕切片１ｂが合わさり、接続片２ｃが縦仕切片１ａと縦仕切片１ｂにそれぞれ合わさるように折り畳まれる。
そして、接続片２ｃが折り畳まれると同時に支持片４ａ、４ｂが折り畳まれ横仕切片２ａ、２ｂが立設する。
【００２０】
縦仕切１と横仕切２がほぼ立設する状態にしたら、縦仕切１を把持して中仕切１０Ａを容器３０へ装着する。装着すると、底片３ａと底片３ｂの先端が容器３０の内側壁の下端部に当接するとともに縦仕切１と直角方向の横仕切２の先端部が容器３０の内側壁に当接して図１の状態となる。
容器３０は、中仕切１０Ａによって６個の部屋に区画される。なお、この中仕切１０Ａは、各折り目Ａ〜Ｆの折り癖をつけ、二つ折り（図４の状態）にして、保管すれば、使用時に即座に容器３０に中仕切１０Ａを装着できる。
【００２１】
次に、請求項２の発明の実施の形態である容器の中仕切２０Ａを図５〜図７に基づいて説明する。
図５は、図１と同様、本実施の形態の中仕切２０Ａを容器３０に装着した状態の全体を示す斜視図で、図６は、この中仕切２０Ａの展開図である段ボール２００である。また、図７は、中仕切２０Ａを組立てる途中の状態を示す斜視図である。
【００２２】
中仕切２０Ａは、図５に示すように、容器３０の左右方向のほぼ中央に二重壁からなる縦仕切１１と、これの両側に直角方向に横仕切１２が４個立設され、中央の２つの部屋は底面１３を備えている。そして、側板１５が容器３０の内側壁に重なって立設している。  
【００２３】
段ボール２００は、図６に示すように、ほぼ矩形状であり、中央に縦方向の折り目Ｋが設けられ、また、これと左右に対称に折り目Ｌ、折り目Ｍが並行に設けられ、縦仕切片１１ａ、１１ｂと底片１３ａ、１３ｂと側板片１５ａ、１５ｂに分割されている。
そして、折り目Ｌの上下延長線上に折り目ＱとＬ字状の切れ目Ｒが形成され、折り目Ｑの端部から斜め４５度の折り目Ｐが設けられ、支持片１４ｂ、１４ｃが形成されている。また、同様に、折り目Ｍの上下にも支持片１４ａ、１４ｄが形成されている。
ここで、折り目Ｋ、Ｑ、は、山折りで、折り目Ｌ、Ｍ、Ｎ、Ｐは谷折りである。
【００２４】
次に、上記のように構成された段ボール２００（図６）を折り上げて中仕切２０Ａとし、容器３０へ装着し図５の状態にする手順について説明する。
まず、段ボール２００の折り目Ｌ、Ｍ、Ｎ、Ｐを谷折りするとともに折り目Ｋ、Ｑを山折りして折り癖をつける。
【００２５】
次に、両側から側板片１５ａと側板片１５ｂを持って中央に押し縮めれば、図７に示すように、各折り目Ｌ、Ｍ、Ｎ、Ｐ、Ｋ、Ｑが折り込まれ、縦仕切片１１ａと縦仕切片１１ｂが合わさり、縦仕切１１が立設されるとともに横仕切１２がそれぞれ立設される。
この状態で、容器３０へ装着すれば、両側板片１５ａ、１５ｂがそれぞれ容器３０の側板の内側に密接して、図５の状態となる。
これにより、容器３０は、中仕切２０Ａによって底面１３のある中央の２つの部屋と、底面のない４個の部屋の計６個の部屋に区画される。
【００２６】
なお、上記の実施の形態においては、発明の内容をより理解しやすくするために容器の寸法を示して説明したが、これに限定するものでないことは当然である。
【符号の説明】
【００２７】
Ａ、Ｂ、Ｃ  折り目    
Ｄ、Ｅ  Ｆ  折り目
Ｇ、Ｈ  切れ目
Ｋ、Ｌ、Ｍ  折り目
Ｎ、Ｐ、Ｑ  折り目
Ｒ  切れ目
１００  段ボール（中仕切１０Ａ）
２００  段ボール（中仕切２０Ａ）
１０Ａ  中仕切
２０Ａ  中仕切
１  縦仕切
１ａ、１ｂ  縦仕切片
２  横仕切
２ａ、２ｂ  横仕切片
３  底面
３ａ、３ｂ  底片
４  支持材
４ａ、４ｂ  支持片
１１  縦仕切
１１ａ、１１ｂ  縦仕切片
１２  横仕切
１２ａ、１２ｂ  横仕切片
１３  底面
１３ａ、１３ｂ  底片
１４  支持板
１４ａ、１４ｂ、１４ｃ、１４ｄ  支持片
１５  側板
１５ａ、１５ｂ  側板片
３０  箱体（段ボール箱）
【図１】
2015214339.tif 000003
【図２】
2015214339.tif 000004
【図３】
2015214339.tif 000005
【図４】
2015214339.tif 000006
【図５】
2015214339.tif 000007
【図６】
2015214339.tif 000008
【図７】
2015214339.tif 000009